(57)【要約】【目的】  住所・氏名を知らない相手先に対してもインターネットを利用してプレゼントすることを可能にする、インターネットを利用したプレゼント・システムを提供する。【構成】  本発明のプレゼント・システムは、ユーザー端末からプレゼント用商品とプレゼントの相手先のメールアドレスなどを含むプレゼント予約情報を受信したとき、所定の予約処理を行い、前記相手先の端末に向けて、ユーザーからのプレゼントを受け取るかどうか、及び、プレゼントを受け取る場合のプレゼント商品の配送先となる氏名・住所を問合せ、前記相手先端末からプレゼントの配送先となる氏名・住所の情報を受信したとき、前記予約された商品の購入代金の支払い要求の情報をユーザー端末に送信し、ユーザー端末からの代金支払い情報を受信したとき、前記予約されたプレゼント商品を前記相手先に配送するための指示情報を出力する、ものである。【選択図】    図１
2006039826.tif 000002
【特許請求の範囲】
【請求項１】
インターネットを利用したプレゼント・システムであって、
ユーザー端末に向けて、ユーザーが所望の相手へのプレゼントを希望する商品を選択するためのプレゼント用商品選択画面の情報を送信するための商品選択画面送信手段と、
ユーザー端末からのプレゼント用商品とプレゼントの相手先のメールアドレスなどを含むプレゼント予約情報を受信するための予約情報受信手段と、
前記予約情報受信手段が受信した情報に基づいて前記ユーザーが選択した商品をプレゼント用商品としてユーザーのために予約処理するための予約処理手段と、
前記予約処理された商品の情報と前記相手先のメールアドレスとに基づいて、前記相手先の端末に向けて、ユーザーからのプレゼントを受け取るかどうか、及び、プレゼントを受け取る場合のプレゼント商品の配送先となる氏名・住所を問合せるための情報を送信するための問合せ情報送信手段と、
前記相手先端末からのプレゼントの配送先となる氏名・住所の情報を受信するための配送先情報受信手段と、
前記配送先情報受信手段が前記氏名・住所の情報を受信したとき、前記予約された商品の購入代金の支払い要求の情報をユーザー端末に送信するための代金支払い要求送信手段と、
ユーザー端末からの代金支払い情報を受信するための代金支払い情報受信手段と、
前記代金支払い情報受信手段からの情報に基づいて、前記予約されたプレゼント商品を前記相手先に配送するための指示情報を出力するためのプレゼント配送指示手段と、
前記プレゼント商品を前記相手先へ配送した後、前記プレゼント商品を配送したことを前記ユーザーに送信するためのプレゼント配送通知手段と、
を備えたことを特徴とするインターネットを利用したプレゼント・システム。
【発明の詳細な説明】
【技術分野】
【０００１】
本発明は、インターネットを利用したプレゼント・システム、より詳しくは、相手先の氏名・住所などのプライバシー情報を贈答希望者が知らない場合でもその相手先にプレゼントを贈ることを可能にするシステムに関する。
【背景技術】
【０００２】
従来より、お歳暮、お中元、クリスマス、誕生日プレゼントなどの贈答にインターネット通販を利用することが行われている。このようなインターネット通販の形態としては、一つの仮想店舗が単独でユーザーからのアクセスを受け付けるもの、多数の仮想店舗が集まってユーザーからのアクセスを受け付けるもの（仮想モール）、消費者の希望に応じて多数の仮想店舗が提供する商品を横断的に纏めて一つの仮想店舗として消費者に提供するもの（例えば、特許文献１参照）など、様々な形態が存在している。
【特許文献１】特開２００２−２４５８３号公報
【発明の開示】
【発明が解決しようとする課題】
【０００３】
ところで、従来のインターネット通販では、贈答者が仮想店舗にギフト商品の配送を依頼する場合、必要な情報として贈答先の住所・氏名を必ず入力する必要があった。
【０００４】
しかしながら、最近のインターネット上での交流においては、お互いにハンドルネームを使用してメールやチャットをやり取りするだけで、お互いの住所・氏名を知らせないというやり方が少なくない。ユーザーは、そのような交流で知り合った相手先にプレゼントしたいと考えても、相手先の住所・氏名が分からないため、従来のインターネット通販の形態を利用することによっては、プレゼントすることができない。
【０００５】
本発明はこのような従来技術の課題に着目してなされたものであって、住所・氏名を知らない相手先に対してもインターネットを利用してプレゼントすることを可能にする、インターネットを利用したプレゼント・システムを提供することを目的とする。
【課題を解決するための手段】
【０００６】
本発明によるインターネットを利用したプレゼント・システムは、ユーザー端末に向けて、ユーザーが所望の相手へのプレゼントを希望する商品を選択するためのプレゼント用商品選択画面の情報を送信するための商品選択画面送信手段と、ユーザー端末からのプレゼント用商品とプレゼントの相手先のメールアドレスなどを含むプレゼント予約情報を受信するための予約情報受信手段と、前記予約情報受信手段が受信した情報に基づいて前記ユーザーが選択した商品をプレゼント用商品としてユーザーのために予約処理するための予約処理手段と、前記予約処理された商品の情報と前記相手先のメールアドレスとに基づいて、前記相手先の端末に向けて、ユーザーからのプレゼントを受け取るかどうか、及び、プレゼントを受け取る場合のプレゼント商品の配送先となる氏名・住所を問合せるための情報を送信するための問合せ情報送信手段と、前記相手先端末からのプレゼントの配送先となる氏名・住所の情報を受信するための配送先情報受信手段と、前記配送先情報受信手段が前記氏名・住所の情報を受信したとき、前記予約された商品の購入代金の支払い要求の情報をユーザー端末に送信するための代金支払い要求送信手段と、ユーザー端末からの代金支払い情報を受信するための代金支払い情報受信手段と、前記代金支払い情報受信手段からの情報に基づいて、前記予約されたプレゼント商品を前記相手先に配送するための指示情報を出力するためのプレゼント配送指示手段と、前記プレゼント商品を前記相手先へ配送した後、前記プレゼント商品を配送したことを前記ユーザーに送信するためのプレゼント配送通知手段と、を備えたことを特徴とするものである。
【発明の効果】
【０００７】
本発明によれば、ユーザーは、住所・氏名を知らない相手先に対してもインターネットを利用してプレゼントすることができるようになる。すなわち、ユーザーは、相手先の氏名・住所が分からない場合でも、相手先の電子メールアドレスと相手先に贈りたいプレゼント商品を選択し、代金支払い情報を送信するだけで、相手先にプレゼント商品を贈ることができる。よって、本発明によれば、インターネット上で知り合い、お互いに氏名・住所を知らない者同士でも、プレゼントのやり取りを通じて相互の交流をより深めることができるようになる。
【発明を実施するための最良の形態】
【０００８】
本発明を実施するための最良の形態は、以下の実施例１について述べるような形態である。
【実施例１】
【０００９】
図１は本発明の実施例が適用されたプレゼント・システムを説明するための概略構成図である。図１において、１はインターネット上の仮想店舗が運営するプレゼント処理用サーバーシステム、２は氏名・住所を知らない相手先にプレゼントすることを希望するユーザーの端末、３は前記ユーザーがプレゼントを希望する相手先の端末、である。これらのサーバーシステム１及び端末２，３はインターネット４その他の通信網を介して相互に通信可能に構成されている。なお、前記端末２，３は、好ましくはパーソナルコンピュータであるが、携帯電話であってもよく、この場合は、各端末２，３とサーバーシステム１との間の通信は所定の携帯電話センターを通すものである。なお、本明細書では、「ユーザー」と「ユーザー端末」、及び「相手先」と「相手先端末」とを区別することなく同じ意味で使用する場合がある。
【００１０】
次に、図２は、本実施例のプレゼント処理用サーバーシステム１の内部構成を示す概略ブロック図である。図２において、１１はインターネット４などの通信網を介して外部機器と通信を行うための通信部、１２はユーザーの個人情報や買い物履歴情報を蓄積するためのユーザーデータベース、１３はユーザーがプレゼント用商品として予約・購入可能な商品のＩＤ、メーカー名、型番、価格、サイズ、色などの商品詳細情報を蓄積するための商品データベース、である。
【００１１】
また、図２において、１４はユーザーによるプレゼント用商品の予約に関する情報を蓄積するための予約データベース、１５はアクセスしてきたユーザーに対してプレゼント用商品の選択画面の情報（仮想店舗の情報）を送信するための商品選択画面送信部、１６は前記商品選択画面を見たユーザーが所定の商品をプレゼント用に予約したとき、そのユーザーから送信された予約情報を受け付けるためのプレゼント予約受付部である。前記プレゼント予約受付部１６が受信する予約情報には、プレゼント用に予約された商品の詳細情報、プレゼントの相手先の電子メールアドレスなどが含まれる。
【００１２】
また、図２において、１７は前記プレゼント予約受付部１６からの出力に基づいて所定のプレゼント予約処理を行うためのプレゼント予約処理部である。前記プレゼント予約処理部１７は、前記プレゼント予約受付部１６からの出力に基づいて、商品データベース１３及び予約データベース１４への記録処理などを行う。
【００１３】
また、図２において、１８は前記予約処理部１７からの出力に基づいて、前記相手先のメールアドレスに、ユーザーからプレゼントの希望があることを通知するため、及び、このプレゼントを受け取るかどうか、そして受け取る場合はその配送先となる氏名・住所を問合せるためのメッセージを送信するための氏名・住所要求部である。また、図２において、１９は前記相手先からの氏名・住所などの返信を受信するための氏名・住所受信部である。
【００１４】
前記プレゼント予約処理部１７は、前記氏名・住所受信部１９が前記相手先からのプレゼントを受け取る旨の回答及びプレゼントの配送先の氏名・住所の情報を受信したとき、前記氏名・住所受信部１９からの出力に基づいて、前記氏名・住所などの情報を前記予約データベース１４に書き込む。また、前記プレゼント予約処理部１７は、前記氏名・住所受信部１９が前記相手先からプレゼントを受け取らない旨の回答を受信したとき、又は所定期間内に前記相手先からその氏名・住所などの情報（プレゼント商品の配送のために必要な情報）を受信しなかったときは、ユーザーにその旨を通知する（さらに、所定期間後、前記予約データベース１４から該当する予約情報を削除する）。
【００１５】
また、図２において、２０は、前記氏名・住所受信部１９が前記相手先からのプレゼントを受け取る旨の回答及びプレゼントの配送先の氏名・住所の情報を受信したとき、前記プレゼント予約処理部１７からの出力に基づいて、その旨とユーザーが予約した商品の代金支払いを要求する通知をメールなどで行うための支払い要求送信部である。２１は、前記支払い要求に対応してユーザーから送信された前記代金支払いのために必要な情報（クレジットカード番号情報など）を受信するための支払い情報受信部である。前記支払い情報受信部２１が受信する支払い情報は、前記クレジットカード番号情報以外に、例えば、代金の銀行振込を行ったことを示す情報、代金の金額に相当する電子マネー情報などでもよい。
【００１６】
また、図２において、２２は前記支払い情報受信部２１からの代金支払い情報と前記予約データベース１４からの該当するプレゼント商品の代金情報とを照合して決済を行うための決済部、２３は前記決済部２２からの決済情報に基づいて前記予約されたプレゼント商品の前記相手先への配送を指示する情報を出力するための配送指示部、２４は前記配送指示部２３からの出力に基づいて予約されたプレゼント商品の相手先への配送の手続完了をユーザーに通知するための配送完了通知部、である。
【００１７】
以上に説明したプレゼント処理用サーバーシステム１の内部構成は、ハードウェアコンポーネントでいえば、任意のコンピュータのＣＰＵ、メモリ、メモリにロードされたプレゼント処理用プログラムなどによって実現されるが、図２ではこれらの連携によって実現される各機能ブロックとして示している。したがって、これらの各機能ブロックがハードウェアのみ、ソフトウェアのみ、又はそれらの組み合わせによっていろいろな形で実現できることは、当業者には理解されるところである。
【００１８】
次に、本実施例のプレゼント・システムにおいて、ユーザーがプレゼント用商品を選んでそれが相手先へ配送されるまでの一連の手順を、図３のフローチャートに基づいて説明する。
【００１９】
まず、ユーザーが本実施例のプレゼント・システムを運営するＷｅｂサイト（サーバーシステム１）にアクセスしてプレゼント用の商品選択画面（仮想店舗）情報の送信を要求すると（ステップＳ１）、前記サーバーシステム１は、商品選択画面情報をユーザーに送信する（ステップＳ２）。ユーザーが前記商品選択画面上で所定の商品を選択し且つプレゼントの相手先の電子メールアドレス情報を入力してプレゼント予約の申込みをすると（ステップＳ３）、前記サーバーシステム１は、その予約された商品情報と相手先メールアドレス情報を前記予約データベース１４に書き込むなどの予約処理を行う（ステップＳ４）。
【００２０】
前記予約処理が終了したら、前記サーバーシステム１は、ユーザーからプレゼントの申込みがあったこと、及び、プレゼント商品を受け取るかどうかの回答と受け取る場合はその商品配送先の氏名・住所情報を送信するように求めるメッセージを、前記相手先メールアドレスに送信する（ステップＳ５）。
【００２１】
その後、前記サーバーシステム１は、前記相手先から、プレゼントを受け取る旨の回答、及びその商品配送先となる氏名・住所情報を受信したときは、それらの情報を前記予約データベース１４に書き込むと共に、ユーザーに対して、その旨の情報とプレゼント予約した商品の代金の支払いを要求するメッセージを送信する（ステップＳ７）。他方、前記サーバーシステム１は、前記相手先から、所定期間内に、プレゼントを受け取る旨の回答、又はその商品配送先となる氏名・住所情報を受信しなかったときは、ユーザーに対してその旨のメッセージを送信する（さらに、所定期間後、前記予約データベース１４から該当の予約情報を削除する）。
【００２２】
次に、サーバーシステム１は、前記ユーザーからの代金支払い情報、例えば代金支払いのためのクレジットカード番号などの情報を受信したときは（ステップＳ８）、該当のプレゼント予約商品の配送指示情報を出力する。その後、前記配送指示情報に基づいて相手先にプレゼント商品が配送されたら（ステップＳ９）、サーバーシステム１は、その配送を確認後、プレゼント商品が相手先へ配送されたことを示すメッセージを、ユーザーに送信する（ステップＳ１０）。
【００２３】
以上のように、本実施例によれば、ユーザーは、相手先の氏名・住所が分からない場合でも、相手先の電子メールアドレスと相手先に贈りたいプレゼント商品を選択し、さらに代金支払い情報を送信するだけで、相手先にプレゼント商品を贈ることができるので、インターネット上で知り合い、お互いに氏名・住所を知らない者同士でも、プレゼントが可能になり、相互の交流をより深めることができるようになる。
【００２４】
以上、本発明の各実施例について説明したが、本発明及び本発明を構成する各構成要件は、それぞれ、前記の実施例及び前記の実施例を構成する各要素として述べたものに限定されるものではなく、様々な変更が可能である。例えば、前記実施例のサーバーシステム１は、ユーザーが相手先の氏名・住所を知らない場合だけでなく、ユーザーが相手先の氏名・住所を知っている場合でも利用することができることは勿論である。この場合は、ユーザーは、サーバーシステム１が運営するホームページ上で、プレゼント商品を選択すると共に、配送先の氏名・住所を入力し、さらに代金支払い情報（クレジットカード番号情報など）を送信することにより、前記サーバーシステム１が前記選択されたプレゼント商品を相手先に配送する指示を出力し、配送が終了したらそのことを示す通知をユーザーに送信する。
【図面の簡単な説明】
【００２５】
【図１】本発明の実施例１によるプレゼント・システムの概略構成を示すブロックである。
【図２】本実施例におけるサーバーシステムの内部構成を示すブロックである。
【図３】本実施例によるプレゼント処理の手順を示すフローチャートである。
【符号の説明】
【００２６】
１          サーバーシステム
２          ユーザー端末
３          相手先端末
４          インターネット
１１      通信部
１２      ユーザーデータベース
１３      商品データベース
１４      予約データベース
１５      商品選択画面送信部
１６      プレゼント予約受付部
１７      プレゼント予約処理部
１８      氏名・住所要求部
１９      氏名・住所受信部
２０      支払い要求送信部
２１      支払い情報受信部
２２      決済部
２３      配送指示部
２４      配送完了通知部
【図１】
2006039826.tif 000003
【図２】
2006039826.tif 000004
【図３】
2006039826.tif 000005